(57)【要約】【課題】エンジン出力回転数が変動しても作業機を昇降させる油圧シリンダ装置による前記作業機の上昇時間が変化することを防止乃至は低減する。【解決手段】エンジンによって作動的に駆動される油圧ポンプから前記油圧シリンダ装置への作動油の供給を許可又は遮断すると共に、付加される電圧値又は電流値に応じて前記油圧シリンダ装置への作動油の供給量を変化させる上昇用電磁弁が備えられ、制御装置は、前記作業機を上昇させる際において、エンジン出力回転数が基準回転数以上である場合には作動電圧又は作動電流として基準値の電圧又は電流を付加する一方で、エンジン出力回転数が前記基準回転数より低い場合には前記作動電圧又は作動電流として前記基準値より大きい値の電圧又は電流を付加する。【選択図】図４
2015216907.tif 000002
【特許請求の範囲】
【請求項１】
走行部を作動的に駆動するエンジンからの回転動力によって駆動される油圧ポンプと、昇降可能に付設された作業機を昇降させる油圧シリンダ装置と、前記油圧シリンダ装置に対する作動油の給排を切り換えるリフトバルブユニットと、制御装置とを備え、前記リフトバルブユニットは、前記油圧ポンプから前記油圧シリンダ装置への作動油の供給を許可又は遮断すると共に、付加される電圧値又は電流値に応じて前記油圧シリンダ装置への作動油の供給量を変化させる上昇用電磁弁を有しているトラクタであって、
前記制御装置は、前記作業機を上昇させる際において、エンジン出力回転数が基準回転数以上である場合には作動電圧又は作動電流として基準値の電圧又は電流を付加する一方で、エンジン出力回転数が前記基準回転数より低い場合には前記作動電圧又は作動電流として前記基準値より大きい値の電圧又は電流を付加することを特徴とするトラクタ。
【請求項２】
前記エンジン出力回転数が前記基準回転数より低い場合には、前記作動電圧又は作動電流の値は、前記エンジン出力回転数及び前記基準回転数の偏差の大きさに比例して前記基準値に対して上昇されることを特徴とする請求項１に記載のトラクタ。
【請求項３】
前記制御装置は、エンジン回転数制御に関し、人為操作されるエンジン回転数変更操作部材による設定回転数をエンジン回転数変更アクチュエータの目標回転数として用いる通常制御と、前記設定回転数より低速の低速回転数を前記目標回転数として用いる減速制御とを実行可能とされ、
前記トラクタには、前記通常制御が固定的に実行される通常制御固定モードと前記通常制御及び前記減速制御が所定条件に応じて切替実行される通常制御／減速制御切替モードとを人為的に選択する走行モード選択手段と、旋回操作部材の操作角が所定値を越えると前記作業機を上昇させる旋回時作業機上昇機能を人為的にオン・オフさせる旋回上昇スイッチとが備えられ、
前記制御装置は、前記通常制御／減速制御切替モードの選択時においては基本制御として前記通常制御を実行しつつ、前記作業機が旋回時作業機上昇機能によって上昇される際には前記通常制御から前記減速制御へ移行するように構成され、
前記制御装置は、前記通常制御から前記減速制御への移行を伴う前記作業機の上昇時には、前記基準回転数との対比に際し前記エンジン出力回転数の代わりに前記低速回転数を用いることを特徴とする請求項１又は２に記載のトラクタ。
【請求項４】
前後進切換操作部材が後進操作されると前記作業機を上昇させる後進時作業機上昇機能を人為的に作動又は解除させる後進上昇スイッチを備え、
前記制御装置は、前記通常制御／減速制御切替モードの選択時において前記作業機が後進時作業時上昇機能によって上昇される際にも前記通常制御から前記減速制御へ移行させると共に、前記基準回転数との対比に際し前記エンジン出力回転数の代わりに前記低速回転数を用いることを特徴とする請求項３に記載のトラクタ。
【請求項５】
人為操作される手動昇降操作部材、ワンタッチ昇降操作部材及び上昇位置設定部材を備え、
前記制御装置は、前記手動昇降操作部材の操作時には前記作業機が前記手動昇降操作部材の操作位置に応じた高さとなるように前記上昇用電磁弁への前記作動電圧又は作動電流の付加制御を行い、前記ワンタッチ昇降操作部材の上昇操作時には前記作業機が前記上昇位置設定部材によって設定されている高さまで上昇するように前記上昇用電磁弁への前記作動電圧又は作動電流の付加制御を行うように構成されており、
前記制御装置は、前記通常制御／減速制御切替モードの選択時において前記作業機が前記ワンタッチ昇降操作部材の上昇操作によって上昇される際にも前記通常制御から前記減速制御へ移行させると共に、前記基準回転数との対比に際し前記エンジン出力回転数の代わりに前記低速回転数を用いることを特徴とする請求項３又は４に記載のトラクタ。
【発明の詳細な説明】
【技術分野】
【０００１】
本発明は、昇降自在に付設された作業機及び前記作業機を昇降させる油圧シリンダ装置を備えたトラクタに関する。
【背景技術】
【０００２】
車輌本機に昇降自在に連結された作業機を油圧シリンダ装置によって昇降させるトラクタは、従来から広く利用されている（例えば、下記特許文献１参照）。
【０００３】
詳しくは、前記トラクタには、エンジンからの回転動力によって駆動される油圧ポンプと、前記油圧シリンダ装置と、前記油圧ポンプ及び前記油圧シリンダ装置の間に介挿されたリフトバルブユニットとが備えられている。
【０００４】
前記リフトバルブユニットには、制御装置によって作動制御される上昇用電磁弁及び下降用電磁弁が備えられており、前記油圧ポンプからの圧油が前記上昇用電磁弁を介して前記油圧シリンダ装置へ供給されることで前記油圧シリンダ装置が前記作業機を上昇させる上昇動作を行う一方、前記油圧シリンダ装置から前記下降用電磁弁を介して作動油がドレンされることで前記油圧シリンダ装置が前記作業機を下降させる下降動作を行うようになっている。
【０００５】
ところで、前記油圧ポンプは、前記トラクタの走行部を駆動するエンジンによって作動的に駆動されており、前記油圧ポンプから吐出される圧油の油量は前記エンジンの出力回転数の変動に応じて変化する。
【０００６】
即ち、前記油圧ポンプから吐出される圧油量は、前記エンジンの出力回転数が低い場合には少なくなり、前記エンジンの出力回転数が高い場合には多くなる。
【０００７】
その為、従来のトラクタにおいては、前記油圧シリンダ装置によって前記作業機を上昇させる際の所要時間が、前記エンジンの出力回転数に応じて変動するという問題があった。
【０００８】
前記作業機としてロータリー耕耘機を用い、往復走行によって耕耘作業を行う際には、圃場の枕地で前記ロータリー耕耘機を上昇させて前記トラクタの方向転換を行う必要があるが、前記ロータリー耕耘機の上昇に要する時間が変動すると、枕地幅が不均一になってしまう。
【先行技術文献】
【特許文献】
【０００９】
【特許文献１】特許第３６１２５８３号公報
【発明の概要】
【発明が解決しようとする課題】
【００１０】
本発明は、斯かる従来技術に鑑みなされたものであり、エンジンによって作動的に回転駆動される油圧ポンプと前記油圧ポンプからの圧油を作動油として作業機を上昇させる油圧シリンダ装置とを備えたトラクタであって、前記エンジンの出力回転数が変動しても、前記油圧シリンダ装置による前記作業機の上昇時間の変化を防止乃至は低減できるトラクタの提供を目的とする。
【課題を解決するための手段】
【００１１】
本発明は、前記目的を達成するために、走行部を作動的に駆動するエンジンからの回転動力によって駆動される油圧ポンプと、昇降可能に付設された作業機を昇降させる油圧シリンダ装置と、前記油圧シリンダ装置に対する作動油の給排を切り換えるリフトバルブユニットと、制御装置とを備え、前記リフトバルブユニットは、前記油圧ポンプから前記油圧シリンダ装置への作動油の供給を許可又は遮断すると共に、付加される電圧又は電流値に応じて前記油圧シリンダ装置への作動油の供給量を変化させる上昇用電磁弁を有しているトラクタであって、前記制御装置は、前記作業機を上昇させる際において、エンジン出力回転数が基準回転数以上である場合には作動電圧又は作動電流として基準値の電圧又は電流を付加する一方で、エンジン出力回転数が前記基準回転数より低い場合には前記作動電圧又は作動電流として前記基準値より大きい値の電圧又は電流を付加するトラクタを提供する。
【００１２】
好ましくは、前記エンジン出力回転数が前記基準回転数より低い場合には、前記作動電圧値又は作動電流値は、前記エンジン出力回転数及び前記基準回転数の偏差の大きさに比例して前記基準値に対して上昇される。
【００１３】
好ましくは、前記制御装置は、エンジン回転数制御に関し、人為操作されるエンジン回転数変更操作部材による設定回転数をエンジン回転数変更アクチュエータの目標回転数として用いる通常制御と、前記設定回転数より低速の低速回転数を前記目標回転数として用いる減速制御とを実行可能とされ、前記トラクタには、前記通常制御が固定的に実行される通常制御固定モードと前記通常制御及び前記減速制御が所定条件に応じて切替実行される通常制御／減速制御切替モードとを人為的に選択する走行モード選択手段と、旋回操作部材の操作角が所定値を越えると前記作業機を上昇させる旋回時作業機上昇機能を人為的にオン・オフさせる旋回上昇スイッチとが備えられ得る。
【００１４】
この場合に、前記制御装置は、前記通常制御／減速制御切替モードの選択時においては基本制御として前記通常制御を実行しつつ、前記作業機が旋回時作業機上昇機能によって上昇される際には前記通常制御から前記減速制御へ移行するように構成され、前記制御装置は、前記通常制御から前記減速制御への移行を伴う前記作業機の上昇時には、前記基準回転数との対比に際し前記エンジン出力回転数の代わりに前記低速回転数を用いるものとされる。
【００１５】
前記旋回上昇スイッチに代えて又は加えて、前記トラクタには前後進切換操作部材が後進操作されると前記作業機を上昇させる後進時作業機上昇機能を人為的に作動又は解除させる後進上昇スイッチが備えられ得る。
【００１６】
この場合に、前記制御装置は、前記通常制御／減速制御切替モードの選択時において前記作業機が後進時作業時上昇機能によって上昇される際にも前記通常制御から前記減速制御へ移行させると共に、前記基準回転数との対比に際し前記エンジン出力回転数の代わりに前記低速回転数を用いるものとされる。
【００１７】
好ましくは、前記トラクタには、人為操作される手動昇降操作部材、ワンタッチ昇降操作部材及び上昇位置設定部材を備えられ、前記制御装置は、前記手動昇降操作部材の操作時には前記作業機が前記手動昇降操作部材の操作位置に応じた高さとなるように前記上昇用電磁弁への前記作動電圧又は作動電流の付加制御を行い、前記ワンタッチ昇降操作部材の上昇操作時には前記作業機が前記上昇位置設定部材によって設定されている高さまで上昇するように前記上昇用電磁弁への前記作動電圧又は作動電流の付加制御を行うように構成される。
【００１８】
この場合に、前記制御装置は、前記通常制御／減速制御切替モードの選択時において前記作業機が前記ワンタッチ昇降操作部材の上昇操作によって上昇される際にも前記通常制御から前記減速制御へ移行させると共に、前記基準回転数との対比に際し前記エンジン出力回転数の代わりに前記低速回転数を用いるものとされる。
【発明の効果】
【００１９】
本発明によれば、エンジンによって駆動される油圧ポンプと作業機昇降用油圧シリンダ装置との間に、前記油圧ポンプから前記油圧シリンダ装置への作動油の供給を許可又は遮断すると共に、供給許可状態においては付加される電圧値又は電流値に応じて前記油圧シリンダ装置への作動油の供給量を変化させ得る上昇用電磁弁が介挿されているトラクタにおいて、制御装置は、前記作業機を上昇させる際において、エンジン出力回転数が基準回転数以上である場合には前記作動電圧又は作動電流として基準値の電圧又は電流を付加する一方で、エンジン出力回転数が前記基準回転数より低い場合には前記作動電圧又は作動電流として前記基準値より大きい値の電圧又は電流を付加するように構成されているので、前記エンジンの出力回転数の変動に起因する前記油圧シリンダ装置による前記作業機の上昇時間の変化を防止乃至は低減することができる。
【図面の簡単な説明】
【００２０】
【図１】図１は、本発明の一実施の形態に係るトラクタの側面図である。
【図２】図２は、前記トラクタの伝動模式図である。
【図３】図３は、前記トラクタにおける制御装置のブロック図である。
【図４】図４は、前記トラクタの油圧回路図である。
【図５】図５は、前記トラクタにおけるリンク機構近傍の部分拡大図である。
【発明を実施するための形態】
【００２１】
以下、本発明に係るトラクタの好ましい実施の形態について、添付図面を参照しつつ説明する。
図１及び図２に、それぞれ、本実施の形態に係るトラクタ１の側面図及び伝動模式図を示す。
【００２２】
図１及び図２に示すように、前記トラクタ１は、車輌フレーム１０と、前記車輌フレーム１０に支持された運転席１５と、前記車輌フレーム１０に支持されたエンジン５０と、左右一対の前輪２０Ｆと、左右一対の後輪２０Ｒと、前記エンジン５０からの回転動力を駆動輪に伝達する走行系伝動構造６０と、外部に向けて回転動力を出力するＰＴＯ軸９５と、前記エンジン５０からの回転動力を前記ＰＴＯ軸９５に伝達するＰＴＯ系伝動構造８０と、制御装置１００（下記図３参照）と、車輌本機に昇降自在に連結された作業機３００とを有している。
【００２３】
図３に、前記制御装置１００のブロック図を示す。
図３に示すように、本実施の形態においては、前記制御装置１００は、本機コントローラ１０１及びエンジンコントローラ１０２等の複数のコントローラを有している。
【００２４】
前記複数のコントローラ１０１、１０２には、それぞれ、対応する前記センサ及び前記アクチュエータが電気的に接続されており、前記複数のコントローラ１０１、１０２はＣＡＮ通信バス１０５を介して互いに電気的に接続されている。
【００２５】
前記制御装置１００は、前記エンジン５０の出力制御として、前記エンジン５０の出力回転数が人為操作されるエンジン回転数変更操作部材１１０による設定回転数となるようにエンジン回転数変更アクチュエータを作動させる通常制御を実行するように構成されている。
【００２６】
詳しくは、図３に示すように、前記トラクタ１は、アクセルレバー等の前記エンジン回転数変更操作部材１１０と、前記エンジン回転数変更操作部材１１０の操作位置を検出する操作側エンジン回転数センサ１１０ａと、前記エンジン回転数変更アクチュエータとして作用し、前記エンジン５０の燃料噴射装置における燃料調節ラック５７を移動させるラックアクチュエータ５６を含む電子ガバナと、前記燃料調節ラック５７のラック位置を検出するラック位置センサ５７ａと、前記エンジン５０の出力回転数を検出する作動側エンジン回転数センサ５０ａとを有している。
【００２７】
前記制御装置１００は、前記通常制御においては、前記操作側エンジン回転数センサ１１０ａによって検出される設定回転数をエンジン出力回転数の目標回転数として用いて、前記ラックアクチュエータ５６を作動させる。
【００２８】
具体的には、前記制御装置１００は、ＲＯＭ等の記憶部に予め記憶されているエンジン回転数とラック位置（燃料噴射量）との関係を用いて、前記ラックアクチュエータ５６の作動制御を行う。
【００２９】
即ち、前記制御装置１００は、前記操作側エンジン回転数センサ１１０ａによって検出される前記エンジン回転数変更操作部材１１０による設定回転数、前記作動側エンジン回転数センサ５０ａによって検出される前記エンジン５０の出力回転数、及び、前記ラック位置センサ５７ａによって検出される前記燃料調節ラック５７のラック位置から、前記関係を用いて目標ラック位置（燃料噴射量の目標値）を算出し、前記燃料調節ラック５７が目標ラック位置に位置するように前記ラックアクチュエータ５６を作動させる。
なお、前記関係は実験等によって求められ、マップ形式又は関数形式として記憶され得る。
【００３０】
図２に示すように、本実施の形態においては、前記走行系伝動構造６０は、油圧式無段変速装置（ＨＳＴ）６１、前後進切換装置６２及びギヤ式多段変速装置６３を有している。
前記ＨＳＴ６１、前記前後進切換装置６２及び前記ギヤ式多段変速装置６３は、ミッションケース３０（図１参照）に支持又は収容されている。
【００３１】
前記ＨＳＴ６１は、図２に示すように、メインクラッチ５１を介して入力される前記エンジン５０からの回転動力を無段変速するように構成されている。
【００３２】
なお、図２中の符号５２及び５３は、前記メインクラッチ５１を介して入力される前記エンジン５０からの回転動力によって駆動される第１油圧ポンプ及び第２油圧ポンプである。
【００３３】
本実施の形態においては、前記ＨＳＴ６１は、前記制御装置１００によって作動制御される主変速アクチュエータ２２０を介して変速動作するように構成されている。
【００３４】
詳しくは、図３に示すように、前記トラクタ１は、人為操作される主変速操作部材１２０と、前記主変速操作部材１２０の操作位置を検出する操作側主変速センサ１２０ａと、前記主変速アクチュエータ２２０と、前記ＨＳＴ６１の出力回転速度を検出する作動側主変速センサ６１ａとを有している。
【００３５】
そして、前記制御装置１００は、前記作動側主変速センサ６１ａによって検出される前記ＨＳＴ６１の出力回転速度が前記操作側主変速センサ１２０ａによって検出される前記主変速操作部材１２０の操作状態に応じた速度となるように、前記主変速アクチュエータ２２０の作動制御を行うようになっている。
【００３６】
図４に、本実施の形態に係る前記トラクタの油圧回路図を示す。
本実施の形態においては、図４に示すように、前記主変速アクチュエータ２２０は、油圧シリンダ２２０ａと、前記油圧シリンダ２２０ａに往復動自在に収容され、前記ＨＳＴ６１における制御軸等の変速作動部材に作動連結される油圧ピストン２２０ｂと、前記油圧シリンダ２２０ａに対する作動油の給排を切り換える電磁弁２２０ｃとを有するものとされており、前記電磁弁２２０ｃが前記制御装置１００によって作動制御されている。
これに代えて、前記主変速アクチュエータ２２０が電動モータを有するように構成することも可能である。
【００３７】
図４に示すように、前記主変速アクチュエータ２２０は、前記ＨＳＴ６１のチャージ油源としても作用する前記第１油圧ポンプ５２からの圧油によって作動するように構成されている。
なお、図４に示すように、前記第１油圧ポンプ５２及び前記第２油圧ポンプ５３は、前記ミッションケース３０内の貯留油を油源としている。
【００３８】
前記前後進切換装置６２は、前記ＨＳＴ６１から作動的に伝達される回転動力の回転方向を切り替えて出力するように構成されている。
【００３９】
前記前後進切換装置６２は、前記ＨＳＴ６１からの回転動力を正転方向（前進方向）の回転動力として前記駆動輪へ向けて出力する前進状態、前記ＨＳＴ６１からの回転動力を逆転方向（後進方向）の回転動力として前記駆動輪へ向けて出力する後進状態、及び、前記ＨＳＴ６１から前記駆動輪への動力伝達を遮断する中立状態を選択的にとり得るように構成されている。
【００４０】
前記前後進切換装置６２は、人為操作されるF/Rレバー等の前後進切換操作部材１３０への人為操作に応じて、選択的に、前進状態、中立状態又は後進状態をとり得るようになっている。
【００４１】
詳しくは、図３に示すように、前記トラクタ１は、前記前後進切換操作部材１３０と、前記前後進切換操作部材１３０の操作位置を検出する操作側前後進センサ１３０ａと、前後進切換アクチュエータ２３０と、前後進切換アクチュエータ２３０の作動状態検出する作動側前後進センサ６２ａとを有している。
【００４２】
そして、前記制御装置１００は、前記作動側前後進センサ６２ａによって検出される前記前後進切換装置６２の出力状態が前記操作側前後進センサ１３０ａによって検出される前記前後進切換操作部材１３０の操作状態に応じたものとなるように、前記前後進切換アクチュエータ２３０の作動制御を行う。
【００４３】
本実施の形態においては、図４に示すように、前記前後進切換アクチュエータ２３０は、前進用油圧ピストン２０３Ｆと、後進用油圧ピストン２３０Ｒと、前記前進用油圧ピストン２３０Ｆ及び前記後進用油圧ピストン２３０Ｒに対する作動油の給排を切り換える電磁弁２３０ａとを有するものとされており、前記電磁弁２３０ａが前記制御装置１００によって作動制御されている。
これに代えて、前記前後進切換アクチュエータ２３０が電動モータを有するように構成することも可能である。
【００４４】
なお、図４に示すように、前記前後進切換アクチュエータ２３０は前記第１油圧ポンプ５２からの圧油によって作動するように構成されている。
【００４５】
前記多段変速装置６３は、前記前後進切換装置６２を介して入力される回転動力を変速して、走行系出力軸６５に伝達している。
【００４６】
本実施の形態においては、前記多段変速装置６３は、前記制御装置１００によって作動制御される副変速アクチュエータ２４０を介して変速動作するように構成されている。
【００４７】
詳しくは、図３に示すように、前記トラクタ１は、人為操作される副変速操作部材１４０と、前記副変速操作部材１４０の操作位置を検出する操作側副変速センサ１４０ａと、前記副変速アクチュエータ２４０と、前記多段変速装置６３の変速段を検出する作動側副変速センサ６３ａとを有している。
【００４８】
そして、前記制御装置１００は、前記作動側副速センサ６３ａによって検出される前記多段変速装置６３の変速段が前記操作側副変速センサ１４０ａによって検出される前記副変速操作部材１４０の操作状態に応じた変速段となるように、前記副変速アクチュエータ２４０の作動制御を行うようになっている。
【００４９】
本実施の形態においては、図２及び図３に示すように、前記走行系伝動構造６０は、さらに、前記走行系出力軸６５の回転動力を主駆動輪として作用する前記一対の後輪２０Ｒに差動伝達する主駆動輪側デファレンシャルギヤ装置６６と、前記走行系出力軸６５の回転動力を入力するサブ駆動輪駆動装置７０と、前記サブ駆動輪駆動装置７０からの回転動力をサブ駆動輪として作用する前記一対の前輪２０Ｆに差動伝達するサブ駆動輪側デファレンシャルギヤ装置７１と、前記左右一対のメイン駆動輪にそれぞれ制動力を付加し得る左右一対のブレーキ装置７５Ｌ、７５Ｒとが備えられている。なお、図２においては、左側ブレーキ装置７５Ｌのみ図示している。
【００５０】
さらに、図１、図３及び図４に示すように、前記トラクタ１には、人為操作されるステアリングホイール等の旋回操作部材１１５と、前記旋回操作部材１１５の操作位置を検出する操作側旋回センサ１１５ａと、パワーステアリング装置等の旋回アクチュエータ２１５と、車輌旋回角度を検出する作動側旋回センサ９０ａとが備えられている。
【００５１】
そして、前記制御装置１００は、前記作動側旋回センサ９０ａによって検出される車輌旋回角が前記操作側旋回センサ１１５ａによって検出される前記旋回操作部材１１５の操作角となるように、前記旋回アクチュエータ２１５の作動制御を行う。
【００５２】
本実施の形態においては、図４に示すように、前記旋回アクチュエータ２１５は、油圧シリンダ２１５ａと、前記油圧シリンダ２１５ａに往復動自在に収容され、操舵輪に作動連結された油圧ピストン２１５ｂと、前記油圧シリンダ２１５ａに対する作動油の給排を切り換える電磁弁２１５ｃとを有するものとされており、前記電磁弁２５ｃが前記制御装置１００によって作動制御されている。
【００５３】
なお、図４に示すように、前記旋回アクチュエータ２１５は前記第１油圧ポンプ５２からの圧油によって作動するように構成されている。
【００５４】
次にＰＴＯ伝動構造８０について説明する。
図２に示すように、本実施の形態においては、前記ＰＴＯ系伝動構造８０は、ＰＴＯクラッチ装置８１と、ＰＴＯ変速装置８２とを有している。
【００５５】
前記ＰＴＯクラッチ装置８１は、前記メインクラッチ５１を介して入力される前記エンジン５０からの回転動力を選択的に伝達又は遮断するように構成されている。
【００５６】
前記ＰＴＯ変速装置８２は、前記ＰＴＯクラッチ機構８１を介して入力される前記エンジン５０からの回転動力を変速して、前記ＰＴＯ軸９５へ向けて出力するように構成されている。
【００５７】
本実施の形態においては、前記ＰＴＯクラッチ装置８１及び前記ＰＴＯ変速装置８２は、前記制御装置１００によって作動制御されるＰＴＯクラッチアクチュエータ２６０及びＰＴＯ変速アクチュエータ２７０によって、それぞれ、動作するように構成されている。
【００５８】
即ち、図３に示すように、前記トラクタ１は、人為操作されるＰＴＯ入切操作部材１６０と、前記ＰＴＯ入切操作部材１６０の操作位置を検出する操作側ＰＴＯ入切センサ１６０ａと、前記ＰＴＯクラッチアクチュエータ２６０と、前記ＰＴＯクラッチ装置８１の作動状態を検出する作動側ＰＴＯ入切センサ８１ａと、人為操作されるＰＴＯ変速操作部材１７０と、前記ＰＴＯ変速操作部材１７０の操作位置を検出する操作側ＰＴＯ変速センサ１７０ａと、前記ＰＴＯ変速アクチュエータ２７０と、前記ＰＴＯ変速装置８２の作動状態を検出する作動側ＰＴＯ変速センサ８２ａとを有している。
【００５９】
そして、前記制御装置１００は、前記作動側ＰＴＯ入切センサ８１ａによって検出される前記ＰＴＯクラッチ装置８１の作動状態が前記操作側ＰＴＯ入切センサ１６０ａによって検出される前記ＰＴＯ入切操作部材１６０の操作状態に応じて変化するように、前記ＰＴＯクラッチアクチュエータ２６０の作動制御を行い、さらに、前記作動側ＰＴＯ変速センサ８２ａによって検出される前記ＰＴＯ変速装置８２の作動状態が前記操作側ＰＴＯ変速センサ１７０ａによって検出される前記ＰＴＯ変速操作部材１７０の操作状態に応じて変化するように、前記ＰＴＯ変速アクチュエータ２７０の作動制御を行うようになっている。
【００６０】
前記作業機３００は、前記ＰＴＯ軸９５を介して前記エンジン５０から作動的に伝達される回転動力を入力し得る状態で車輌本機にリンク機構３８０を介して昇降自在に連結されており、前記トラクタ１に備えられる昇降アクチュエータ３２０によって昇降されるようになっている。
【００６１】
図５に、前記リンク機構３８０近傍の部分拡大図を示す。
本実施の形態においては、図１及び図５に示すように、前記リンク機構３８０は、トップリンク３８１と左右一対のロワーリンク３８２とを有している。
【００６２】
本実施の形態においては、前記昇降アクチュエータ３２０は、昇降用油圧シリンダ装置３３０と、前記昇降用油圧シリンダ装置３３０に対する作動油の給排を切り換えるリフトバルブユニット３４０とを有している。
【００６３】
図４に示すように、前記昇降用油圧シリンダ装置３３０は、油圧シリンダ３３１と、前記油圧シリンダ３３１に往復動自在に収容された油圧ピストン３３２とを有している。
【００６４】
図４及び図５に示すように、前記油圧ピストン３３２はリフトアーム３８５及びリフトロッド３８６を介して前記ロワーリンク３８２に作動連結されており、前記油圧ピストン３３２の伸縮動作に応じて前記作業機３００が昇降するようになっている。
【００６５】
図４に示すように、前記リフトバルブユニット３４０は、バルブブロック３５０と、前記バルブブロック３５０に収容された上昇用電磁弁３６０Ｕ及び下降用電磁弁３６０Ｄとを有している。
【００６６】
図４に示すように、前記バルブブロック３５０には、前記第２油圧ポンプ５３からの圧油を受け入れるインレットポート３５１と、前記インレットポート３５１を介して受け入れた圧油のうちの余剰油を排出する余剰油排出ポート３５２と、前記昇降用油圧シリンダ装置３３０に対して作動油を給排する給排ポート３５３と、前記昇降用油圧シリンダ装置３３０から排出される作動油をドレンするドレンポート３５４とが設けられている。
【００６７】
前記上昇用電磁弁３６０Ｕは前記制御装置１００によって作動制御されており、前記インレットポート３５１を介して受け入れた圧油を前記給排ポート３５３に供給する状態及び前記圧油の前記給排ポート３５３への供給を遮断する状態を選択的に現出させると共に、前記圧油を前記給排ポート３５３に供給する状態においては開口幅（即ち、前記圧油の供給量）を前記制御装置１００から付加される作動電圧値又は作動電流値の大きさに応じて変化させ得るようになっている。
【００６８】
前記下降用電磁弁３６０Ｄも前記制御装置１００によって作動制御されており、前記給排ポート３５３を介して流入する前記昇降用油圧シリンダ装置３３０からの圧油を前記ドレンポート３５４から排出させる状態及び前記圧油の前記ドレンポート３５４への流れを遮断する状態を選択的に現出させると共に、前記圧油を前記ドレンポート３５４から排出させる状態においては開口幅（即ち、前記圧油の排出量）を前記制御装置１００から付加される作動電圧値又は作動電流値の大きさに応じて変化させ得るようになっている。
なお、図４中の符号３６２は、前記インレットポート３５１を介して受け入れた圧油のうちの余剰油を前記余剰油排出ポート３５２へ流す分流弁である。
【００６９】
本実施の形態においては、図４に示すように、前記リフトバルブユニット３５０の前記給排ポート３５３と前記油圧シリンダ装置３３０とを流体接続する給排ラインには、下降防止バルブ機構３７０が介挿されている。
【００７０】
前記下降防止バルブ機構３７０は、前記給排ラインに介挿された下降防止弁３７１と、下降防止電磁弁３７２とを備えている。
【００７１】
前記下降防止弁３７１は、パイロット圧に応じて、前記給排ポート３５３から前記油圧シリンダ装置３３０への圧油の流れを許容しつつ逆向きの流れを防止する下降防止状態と、前記油圧シリンダ装置３３０から前記給排ポート３５３への作動油の流れを許容する下降状態とを選択的にとり得るように構成されている。
【００７２】
前記下降防止電磁弁３７２は、人為操作に応じて、前記下降防止弁３７１のパイロット圧を維持する状態及び解放する状態を選択的にとり得るように構成されている。
【００７３】
なお、本実施の形態においては、図４に示すように、さらに、前記下降防止弁３７１及び前記昇降用油圧シリンダ装置３３０の間にスローリターン弁３７５が介挿されている。
【００７４】
前記スローリターン弁３７５は、前記給排ポート３５３から前記油圧シリンダ装置３３０への作動油の流れを許容しつつ逆向きの流れを防止する第１流路３７６と、前記給排ポート３５３及び前記昇降用油圧シリンダ装置３３０の間を可変絞りを介して流体接続する第２流路３７７とを有しており、前記可変絞りによる絞り量は人為操作によって変更可能とされている。
【００７５】
さらに、本実施の形態に係る前記トラクタ１は、前記作業機３００を左右方向に傾動させる傾動アクチュエータ４２０を有している。
前記傾動アクチュエータ４２０は、図４に示すように、前記作業機３００を左右方向に傾動させる傾動用油圧シリンダ装置４３０と、前記傾動用油圧シリンダ装置４３０に対する作動油の給排を切り換える傾動用電磁弁４４０とを備えている。
【００７６】
前記傾動用油圧シリンダ装置４３０は、左右一対の前記リフトロッド３８６の一方に介挿され、作動油の給排制御に応じて伸縮することで前記作業機３００の前記車輌本機に対する水平姿勢を変更させ得るように構成されている。
【００７７】
図４に示すように、前記傾動用油圧シリンダ装置４３０は、油圧シリンダ４３１と、前記油圧シリンダ４３１に往復動自在に収容された油圧ピストン４３２とを有している。
【００７８】
前記傾動用電磁弁４４０は、人為操作される傾動操作部材１８５（図３参照）への人為操作に応じて前記制御装置１００によって位置制御される。
【００７９】
即ち、図３に示すように、前記トラクタ１は、前記傾動操作部材１８５と、前記傾動操作部材１８５の操作位置を検出する操作側傾動センサ１８５ａと、前記作業機３００の傾動状態を検出する作動側傾動センサ３００ｂとを有しており、前記制御装置１００は、前記作動側傾動センサ３００ｂによって検出される前記作業機３００の傾動状態が前記操作側傾動センサ１８５ｂによって検出される前記傾動操作部材１８５の操作状態に応じたものとなるように、前記傾動用電磁弁４４０の位置制御を行う。
【００８０】
本実施の形態においては、前記傾動用油圧シリンダ装置４３０は、前記第２油圧ポンプ５３からの圧油を作動油として受け入れるように構成されている。
【００８１】
詳しくは、図４に示すように、前記第２油圧ポンプ５３の吐出口に流体接続された圧油ライン５１０は分流弁５２０を介して昇降用ライン５１１及び傾動用ライン５１２に分岐されている。
【００８２】
そして、前記昇降用ライン５１１が前記リフトバルブユニット３５０の前記インレットポート３５１に流体接続され、前記傾動用ライン５１２が前記傾動用電磁弁４４０に流体接続されている。
【００８３】
なお、図４中の符号５３０は前記圧油ライン５１０の油圧を設定するメインリリーフ弁であり、符号５４０は前記昇降用油圧シリンダ装置３３０の作動油が異常高圧となることを防止する安全弁である。
【００８４】
ここで、前記トラクタ１における前記作業機３００の昇降制御について説明する。
図３に示すように、前記トラクタ１には、手動昇降操作部材１８１、ワンタッチ昇降操作部材１８２及び上昇位置設定部材１８３が備えられている。
【００８５】
前記手動昇降操作部材１８１は前記作業機３００を任意の昇降位置に位置させる為の操作部材である。
即ち、前記手動昇降操作部材１８１が操作されると、前記制御装置１００は、前記作業機３００が前記手動昇降操作部材１８１の操作位置に応じた高さに位置するように前記昇降用電磁弁３６０Ｕ及び前記下降用電磁弁３６０Ｄを作動させる。
【００８６】
なお、図３中の符号１８１ａは、前記手動昇降操作部材１８１の操作位置を検出する手動操作位置センサであり、符号３００ａは、前記作業機３００の昇降位置を検出する作業機ポジションセンサである。
【００８７】
前記ワンタッチ昇降操作部材１８１はワンタッチ操作で前記作業機３００を所定の上げ位置又は下げ位置に位置させる為の部材である。
即ち、前記ワンタッチ昇降操作部材１８２が上昇操作されると、前記制御装置１００は、前記作業機３００が前記上昇位置設定部材１８３によって設定されている高さまで上昇するように前記上昇用電磁弁３６０Ｕを作動させる。
【００８８】
なお、図３中の符号１８２ａは、前記ワンタッチ昇降操作部材１８２の操作状態を検出するワンタッチ昇降操作センサであり、符号１８３ａは前記上昇位置設定部材１８３による設定位置を検出する設定上昇位置センサである。
【００８９】
前記ワンタッチ昇降操作部材１８２が下降操作されると、前記制御装置１００は、前記作業機３００が前記手動昇降操作部材１８１の操作位置によって画される下降位置まで下降するように前記下降用電磁弁３６０Ｄを作動させる。
即ち、本実施の形態においては、前記手動昇降操作部材１８１が下降位置設定部材としても作用するようになっている。
【００９０】
ところで、前記昇降用油圧シリンダ装置３３０は前記第２油圧ポンプ５３からの圧油を作動油として作動するが、前記第２油圧ポンプ５３は前記エンジン５０によって作動的に駆動される為、前記第２油圧ポンプ５３から吐出される圧油の量は前記エンジン５０の出力回転数に応じて変動する。
【００９１】
つまり、前記第２油圧ポンプ５３から吐出される圧油量は、前記エンジン５０の出力回転数が低い場合には少なくなり、前記エンジン５０の出力回転数が高い場合には多くなる。
そして、前記第２油圧ポンプ５３の圧油量の変動は、前記昇降用油圧シリンダ装置３３０によって前記作業機３００を上昇させる際の所要時間の変動を招く。
【００９２】
この点に関し、本実施の形態に係る前記トラクタ１においては、前記制御装置１００は、前記作業機３００を上昇させる際において、エンジン出力回転数が基準回転数以上である場合には前記上昇用電磁弁３６０Ｕに付加する作動電圧又は作動電流として基準値の電圧又は電流を付加しつつ、エンジン出力回転数が前記基準回転数より低い場合には前記作動電圧又は作動電流として前記基準値より大きい値の電圧又は電流を付加するように構成されている。
【００９３】
斯かる構成によれば、エンジン出力回転数の変動に起因する前記作業機３００の上昇時間の変化を防止乃至は低減することができる。
【００９４】
即ち、エンジン出力回転数が前記基準回転数以上である場合には、前記第２油圧ポンプ５３は十分な量の圧油を吐出している。
【００９５】
この場合には、前記上昇電磁弁３６０Ｕの開口幅を格別に大きくすること無く、十分な量の圧油を前記第２油圧ポンプ５３から前記上昇用電磁弁３６０Ｕを介して前記昇降用油圧シリンダ装置３３０へ供給することができる。
【００９６】
従って、前記作業機３００を上昇させる際にエンジン出力回転数が基準回転数以上である場合には、前記制御装置１００は、前記上昇用電磁弁３６０Ｕの開口幅が基準開口幅となるように、前記上昇用電磁弁３６０Ｕに前記基準値の作動電圧又は作動電流を付加するものとされている。
【００９７】
一方、エンジン出力回転数が前記基準回転数より低い場合には、前記第２油圧ポンプ５３が吐出する圧油の量も少なくなる。
【００９８】
その為、仮に、エンジン出力回転数が前記基準回転数より低い場合に前記上昇用電磁弁３６０Ｕの開口幅を前記基準開口幅と同一とすると、前記第２油圧ポンプ５３から前記上昇用電磁弁３６０Ｕを介して前記昇降用油圧シリンダ装置３３０へ供給される圧油量は、エンジン出力回転数が前記基準回転数以上の場合に比して少なくなり、それに応じて、前記作業機３００の上昇に要する時間が長くなる。
【００９９】
これに対し、本実施の形態においては、前述の通り、前記作業機３００を上昇させる際にエンジン出力回転数が前記基準回転数より低い場合には、前記制御装置１００は、前記上昇用電磁弁３６０Ｕの開口幅が前記基準開口幅よりも大きくなるように、前記上昇用電磁弁３６０Ｕに前記基準値より大きい値の作動電圧又は作動電流を付加するものとされている。
【０１００】
従って、前記エンジン出力回転数が前記基準回転数より低い場合に前記作業機３００を上昇させる際には、前記第２油圧ポンプ５３が吐出する吐出油量は少なくなるものの、前記第２油圧ポンプ５３から前記上昇用電磁弁３６０Ｕを介して前記昇降用油圧シリンダ装置３３０へ供給される圧油量の低下は、前記エンジン出力回転数が前記基準回転数以上の場合に比して有効に防止乃至は低減される。
なお、前記基準回転数は実験等によって求められ、前記制御装置１００の記憶部に予め記憶される。
【０１０１】
好ましくは、前記作業機３００を上昇動作させる際の前記エンジン出力回転数が前記基準回転数より低い場合においては、前記エンジン出力回転数及び前記基準回転数の偏差の大きさに応じて、前記上昇用電磁弁３６０Ｕに付加する作動電圧値又は作動電流値を前記基準値から上昇させることができる。
【０１０２】
斯かる構成によれば、前記エンジン出力回転数が低くなるに従って、前記上昇用電磁弁３６０Ｕに付加される作動電圧又は作動電流の値が大きくなり、前記上昇用電磁弁３６０Ｕの開口幅が大きくなる。
従って、前記作業機３００の上昇に要する時間をより均一化させることができる。
【０１０３】
この場合においては、前記エンジン出力回転数及び前記基準回転数の偏差の大きさと前記上昇用電磁弁３６０Ｕに付加すべき作動電圧又は作動電流の値との関係は実験等によって求められ、前記制御装置１００の記憶部に予め記憶される。
【０１０４】
本実施の形態に係る前記トラクタ１においては、前記制御装置１００は、前記エンジン５０の出力制御に関し、前記通常制御に加えて減速制御を実行し得るように構成されている。
【０１０５】
詳しくは、前述の通り、前記通常制御は、前記エンジン５０の出力回転数が前記エンジン回転数変更操作部材１１０による設定回転数となるように、前記エンジン回転数変更アクチュエータ５６の目標回転数として、前記エンジン回転数変更操作部材１１０による設定回転数を用いるように構成されている。
【０１０６】
これに対し、前記減速制御は、前記エンジン回転数変更アクチュエータ５６の目標回転数として、前記エンジン回転数変更操作部材１１０による設定回転数に代えて前記設定回転数よりも低速の低速回転数を用いるように構成されている。
前記低速回転数は、前記設定回転数に所定の減速係数（例えば、０．８５）を乗算したものとされ得る。
【０１０７】
本実施の形態に係る前記トラクタ１は、前記通常制御が固定的に実行される通常制御固定モードと、前記通常制御及び前記減速制御が所定条件に応じて切替実行される通常制御／減速制御切替モードとを人為選択可能とされている。
【０１０８】
具体的には、図３に示すように、前記トラクタ１には、前記通常制御固定モード及び前記通常制御／減速制御切替モードを人為選択し得る走行モード選択手段４５０が備えられている。
【０１０９】
前記通常制御／減速制御切替モード４５０の選択時においては、前記制御装置１００は、前記通常制御を基本制御として実行しつつ、下記条件が満たされると前記通常制御から前記減速制御へ移行するように構成されている。
【０１１０】
なお、前記減速制御は、前記低速回転数として前記設定回転数より低速の第１低速回転数（例えば、前記設定回転数×０．８５）を用いる第１減速制御と、前記低速回転数として前記第１低速回転数より低速の第２低速回転数（例えば、前記設定回転数×０．７）を用いる第２減速制御とを含み得る。
【０１１１】
この場合には、前記走行モード選択手段４５０は、前記通常制御固定モードと、通常制御／第１減速制御切替モードと、通常制御／第２減速制御切替モードとを選択し得るように構成される。
【０１１２】
ここで、前記通常制御から前記減速制御への移行条件について説明する。
本実施の形態に係る前記トラクタ１は、前記旋回操作部材１１５の操作角が所定値を越えると自動的に前記作業機３００を上昇させる旋回時作業機上昇機能を有しており、前記制御装置１００は、前記通常制御／減速制御切替モードが選択されている状態で旋回時作業機上昇機能によって前記作業機３００が上昇動作する際には前記通常制御から前記減速制御へ移行するように構成されている。
【０１１３】
詳しくは、図３に示すように、前記トラクタ１には、旋回時作業機上昇機能を人為的にオン・オフさせる旋回上昇スイッチ４６０が備えられている。
前記制御装置１００は、前記旋回上昇スイッチ４６０のオン操作時には旋回時作業機上昇機能を有効化させ、前記旋回上昇スイッチ４６０のオフ操作時には旋回時作業機上昇機能を無効化させる。
【０１１４】
旋回時作業機上昇機能を備えることにより、圃場の枕地での方向転換時における人為操作の容易化を図ることができる。
即ち、前記作業機３００を接地させた状態で前記トラクタ１を往復走行させて作業を行う際には、圃場の枕地で前記作業機３００を上昇させて前記トラクタ１の方向転換を行う必要がある。この際に、旋回時作業機上昇機能が備えられていると、操縦者は車輌旋回操作を行うだけで、前記作業機３００の上昇操作を行うこと無く、前記作業機３００が自動的に上昇される。
【０１１５】
その上で、前述の通り、本実施の形態に係る前記トラクタ１においては、前記通常制御／減速制御切替モードが選択されている状態で旋回時作業機上昇機能によって前記作業機３００が上昇動作する際には前記制御装置１００は前記通常制御から前記減速制御へ移行する。
【０１１６】
斯かる構成を備えた前記トラクタ１においては、操縦者は前記旋回操作部材１１５によって前記トラクタ１の旋回操作を行うだけで、旋回時作業機上昇機能によって前記作業機３００が自動的に上昇動作されつつ、前記減速制御によって走行速度が減速される。
【０１１７】
従って、前記作業機３００を接地させて高速走行で作業を行っている状態から枕地で方向転換を行う際には、車輌旋回操作を行うだけで、前記作業機３００が自動的に上昇された上に、走行速度が自動的に減速され、安全且つ確実な旋回動作が実現される。
【０１１８】
さらに、前記制御装置１００は、前記通常制御から前記減速制御への移行を伴う前記作業機３００の上昇時には、前記基準回転数との対比に際し前記エンジン出力回転数の代わりに前記低速回転数を用いるように構成されている。
【０１１９】
即ち、本実施の形態に係る前記トラクタ１においては、前記制御装置１００は、前記作業機３００を上昇させる為に前記上昇用電磁弁３６０Ｕに付加する作動電圧又は作動電流の値の決定に際し、基本的には、前記操作側エンジン回転数センサ１１０ａ又は前記作動側エンジン回転数センサ５０ａによって検出されるエンジン出力回転数が前記基準回転数以上であるか否かを判断し、ＹＥＳの場合には前記作動電圧又は前記作動電流として基準値の電圧又は電流を付加し、ＮＯの場合には前記作動電圧又は作動電流として前記基準値より大きい値の電圧又は電流を付加するが、前記作業機３００の上昇が前記通常制御から前記減速制御への移行を伴う場合においては、前記エンジン出力回転数の代わりに前記低速回転数を前記基準回転数と対比させるようになっている。
【０１２０】
つまり、前記作業機３００の上昇動作に伴って前記通常制御から前記減速制御へ移行される場合には、前記制御装置は、前記低速回転数が前記基準回転数以上であるか否かを判断し、ＹＥＳの場合には前記作動電圧又は作動電流として基準値の電圧又は電流を付加し、ＮＯの場合には前記作動電圧又は作動電流として前記基準値より大きい値の電圧又は電流を付加するようになっている。
【０１２１】
斯かる構成によれば、旋回時作業機上昇機能及び前記減速制御による効果を得つつ、車輌旋回操作に伴って前記作業機３００が自動上昇される際の作業機上昇時間の均一化を図ることができる。
【０１２２】
本実施の形態に係る前記トラクタ１は、旋回時作業機上昇機能に加えて、前記前後進切換操作部材１３０の後進操作に応じて前記作業機３００を上昇させる後進時作業機上昇機能を有している。
【０１２３】
具体的には、図３に示すように、前記トラクタ１には、前記前後進切換操作部材１３０の後進操作に応じて前記作業機３００を上昇させる後進時作業機上昇機能を人為的に作動又は解除させる後進上昇スイッチ４７０が備えられており、前記制御装置１００は、前記後進上昇スイッチ４７０のオン操作及びオフ操作に応じて後進時作業機上昇機能を有効及び無効にする。
【０１２４】
ここで、本実施の形態に係る前記トラクタ１においては、前記制御装置１００は、前記通常制御／減速制御切替モードの選択時において前記作業機３００が後進時作業時上昇機能によって上昇される際にも前記通常制御から前記減速制御へ移行させると共に、前記基準回転数との対比に際し前記エンジン出力回転数の代わりに前記低速回転数を用いるように構成されている。
【０１２５】
斯かる構成によれば、後進時作業機上昇機能及び前記減速制御による効果を得つつ、車輌後進操作に伴って前記作業機が自動上昇される際の作業機上昇時間の均一化を図ることができる。
【０１２６】
また、本実施の形態に係る前記トラクタ１には前記手動昇降操作部材１８１及び前記ワンタッチ昇降操作部材１８２が備えられているが、前記ワンタッチ昇降操作部材１８２による上昇操作は、前記作業機３００を非作業位置へ上昇させるという操縦者の意図に基づくものと考えられる。
【０１２７】
即ち、前記手動昇降操作部材１８１は前記作業機３００の昇降位置を任意に設定する際に操作する部材であり、前記手動昇降操作部材１８１が操作されると、前記制御装置１００は、前記作業機３００が前記手動昇降操作部材１８１の操作位置に応じた高さに位置するように前記昇降用電磁弁３６０Ｕ及び前記下降用電磁弁３６０Ｄを作動させる。
【０１２８】
この前記手動昇降操作部材１８１への上昇操作は、必ずしも前記作業機３００を非作業位置へ上昇させる為の操作とは限られず、作業状態のままで前記作業機３００の昇降位置を微調整させる為の操作の可能性もあり得る。
【０１２９】
これに対し、前記ワンタッチ昇降操作部材１８２の上昇操作は、前記作業機３００による作業を中断して、前記作業機３００を非作業位置へ上昇させる為の操作と判断できる。
【０１３０】
この点を考慮して、本実施の形態においては、前記制御装置１００は、前記通常制御／減速制御切替モードの選択時において、前記作業機３００が前記手動昇降操作部材１８１による上昇操作によって上昇される際には前記通常制御を維持し、前記基準回転数との対比に際し前記エンジン出力回転数を用いる一方で、前記作業機３００が前記ワンタッチ昇降操作部材１８２の上昇操作によって上昇される際には前記通常制御から前記減速制御へ移行させると共に、前記基準回転数との対比に際し前記エンジン出力回転数の代わりに前記低速回転数を用いるように構成されている。
【符号の説明】
【０１３１】
１            トラクタ
５０          エンジン
５３          第２油圧ポンプ（油圧ポンプ）
５６          ラックアクチュエータ（エンジン回転数変更アクチュエータ）
１００        制御装置
１１０        エンジン回転数変更操作部材
１８１        手動昇降操作部材
１８２        ワンタッチ昇降操作部材
１８３        上昇位置設定部材
３００        作業機
３３０        昇降用油圧シリンダ装置
３５０        リフトバルブユニット
３６０Ｕ      上昇用電磁弁
４５０        走行モード選択手段
４６０        旋回上昇スイッチ
４７０        後進上昇スイッチ
【図１】
2015216907.tif 000003
【図２】
2015216907.tif 000004
【図３】
2015216907.tif 000005
【図４】
2015216907.tif 000006
【図５】
2015216907.tif 000007